(57)【要約】      （修正有）【課題】USBホストとUSBデバイスに連結する保存装置の提供。【解決手段】USBホストとUSBデバイスに連結する保存装置１００は、USBモジュール１１０及び/あるいはUSB OTG装置１０２を経由してUSBホスト１０１に連結でき、これにより保存モジュール１４０中のデータにアクセスでき、保存モジュール１４０はペンドライブモジュール、メモリカードを備えるメモリカードリーダー、或いはペンドライブモジュールにメモリカードを備えるメモリカードリーダーを加えて実現し、USBホスト１０１とUSB OTG(USB On-The-Go)装置に同時に連結する時には、USB伝送のアダプター機能を発揮することができる。【選択図】図１
2013114670.tif 000002
【特許請求の範囲】
【請求項１】
USBホストとUSBデバイスに連結する保存装置は、USBモジュール、マイクロUSBモジュール、コントロールモジュール、保存モジュールを備え、
前記USBモジュールは、外部のUSBホストに連結し、前記マイクロUSBモジュールは、外部のUSB OTG(USB On-The-Go)装置に連結し、
前記コントロールモジュールは、前記USBモジュール、前記マイクロUSBモジュールに連結し、前記保存モジュールは、前記コントロールモジュールに連結し、データを保存し、前記コントロールモジュールは、多数の信号を提供し、前記USBモジュール及び前記マイクロUSBモジュールと前記保存モジュールとの間のデータの流れを決定し、
コントロールすることを特徴とするUSBホストとUSBデバイスに連結する保存装置。
【請求項２】
前記保存モジュールは、内蔵メモリのペンドライブモジュールであることを特徴とする請求項１に記載のUSBホストとUSBデバイスに連結する保存装置。
【請求項３】
前記ペンドライブモジュールは、フラッシュコントローラー、及び内蔵フラッシュメモリを備えることを特徴とする請求項２に記載のUSBホストとUSBデバイスに連結する保存装置。
【請求項４】
前記ペンドライブモジュールは、メモリカードリーダー、及び内蔵メモリカードを備えることを特徴とする請求項２に記載のUSBホストとUSBデバイスに連結する保存装置。
【請求項５】
前記保存モジュールは、メモリカードリーダーで外部メモリカードを挿入するメモリカードコンセントを提供することを特徴とする請求項１に記載のUSBホストとUSBデバイスに連結する保存装置。
【請求項６】
前記保存モジュールはさらに、ペンドライブモジュール、及びメモリカードリーダーを備え、外部メモリカードを挿入するメモリカードコンセントを提供することを特徴とする請求項１に記載のUSBホストとUSBデバイスに連結する保存装置。
【請求項７】
前記コントロールモジュールはさらに、USB OTG物理層、UTMI、コントロールユニット、バスを備え、
前記USB OTG物理層は、前記USBモジュールと前記マイクロUSBモジュールに連結し、多数の物理層の連結信号を処理し、
前記UTMIは、前記USB OTG物理層に連結し、前記USBモジュール、前記マイクロUSBモジュール、前記保存モジュールとの間のデータの流れをコントロールし、
前記バスは、前記UTMIと前記コントロールユニットに連結し、コントロール信号とデータのルートを提供することを特徴とする請求項１に記載のUSBホストとUSBデバイスに連結する保存装置。
【請求項８】
前記USB OTG物理層は、USB OTG物理層であることを特徴とする請求項７に記載のUSBホストとUSBデバイスに連結する保存装置。
【請求項９】
前記UTMIは、USB2.0 UTMI(Transceiver Macrocell Interface)であることを特徴とする請求項７に記載のUSBホストとUSBデバイスに連結する保存装置。
【請求項１０】
前記コントロールユニットは、8051マイクロプロセッサーであることを特徴とする請求項７に記載のUSBホストとUSBデバイスに連結する保存装置。
【請求項１１】
前記保存装置が、前記USBホスト、或いは前記USB OTG装置に連結する時、前記USB OTG物理層は、前記USBホスト、或いは前記USB OTG装置に、
連結すべきかどうかを決定することを特徴とする請求項７に記載のUSBホストとUSBデバイスに連結する保存装置。
【請求項１２】
前記保存装置は、前記USBモジュールを経て、前記USBホストに連結し、及び前記マイクロUSBモジュールを経て、前記USB OTGモジュールに連結し、
前記保存装置は、前記USB OTG物理層を高抵抗状態に変換することで、USB連結ケーブルとなることを特徴とする請求項１１に記載のUSBホストとUSBデバイスに連結する保存装置。
【請求項１３】
前記USBホストとUSBデバイスに連結する保存装置はさらに、ミニUSBモジュールを備え、外部連結によりUSB OTG装置に連結し、
前記ミニUSBモジュールは、前記コントロールモジュールに連結することを特徴とする請求項１に記載のUSBホストとUSBデバイスに連結する保存装置。
【発明の詳細な説明】
【技術分野】
【０００１】
本発明は保存装置に関し、USBホストとUSBデバイスに連結する保存装置に関する。
【背景技術】
【０００２】
民生用モバイル電子装置の急速な発展は、世界中に拡散拡張し、デジタルデータを処理する機器を大幅に成長させている。その結果、日々何億もの使用者が、フラッシュメモリなどのUSB記憶装置を使用し、デジタルデータをある装置から別の装置へと伝送している。しかし、USB規格の進歩に伴い、ファイル伝送技術はより複雑になり、しかもより高速、安定、高機能が必要になっている。USB2.0規格のUSB On-The-Go(USB OTG)では、２個のUSBデバイス間で、相互に通信することができ、USBホストを必要としない。言い換えれば、USBデバイスは、別のUSBデバイスのホストになれるということである。双方がUSB2.0インタフェースを持っていれば、例えば携帯電話端末は、デジタルカメラから画像ファイルをコピーすることができる。この観点により、あるUSBデバイスから別のUSBデバイスまで、ファイル伝送用のルートとして保存媒介の使用が必須であるというのは、時代遅れのようである。また、USBホストが含む標準的なUSBコネクタ以外に、あらゆるUSBコネクタフォーマットは既に、ミニUSB、マイクロUSBを含み、PDA、携帯電話端末、デジタルカメラなどの、より小型のUSBデバイス用へと成長している。こうして見ると、たとえ関係するUSBがUSB2.0規格に属するとしても、SDカードなどのメモリカード内に保存するデジタルデータは、やはりUSBホストインタフェースと接続し、別のUSB OTG装置の別のインタフェースに接続することが必要である。
【０００３】
従来のメモリカードリーダー(Memory Card Reader)は、メモリカードの内容がUSBホストにより読み取られ、しかもSD、MS、MMCなどの異なったフォーマットのメモリカードを接続可能にするという問題を解決する必要がある。しかし、現在市販されている製品は、上記の状況に対応するニーズを満たしてはいない。マイクロUSBコネクタを配置する小型装置の使用が広がるに従い、上記ニーズに応えるソリューションの設計が待たれている。本発明は、従来のUSBホストとUSBデバイスに連結する保存装置の上記欠点に鑑みてなされたものである。
【発明の概要】
【発明が解決しようとする課題】
【０００４】
本発明が解決しようとする課題は、USBホストとUSBデバイスに連結する保存装置を提供することである。
【課題を解決するための手段】
【０００５】
上記課題を解決するため、本発明は下記のUSBホストとUSBデバイスに連結する保存装置を提供する。
USBホストとUSBデバイスに連結する保存装置は、USBモジュール、マイクロUSBモジュール、コントロールモジュール、保存モジュールを備え、
該コントロールモジュールは、該USBモジュール、該マイクロUSBモジュール、該保存モジュールに連結し、多数の信号を提供し、上記モジュール間のデータの流れを決定、
及びコントロールし、本発明の保存装置は、USBモジュール及び/あるいはUSB OTG装置を経由して、USBホストに連結でき、これにより保存モジュール中のデータにアクセスでき、
該保存モジュールは、ペンドライブモジュール(Pendrive Module)、メモリカードを備えるメモリカードリーダー、或いはペンドライブモジュールにメモリカードを備えるメモリカードリーダーを加えて実現し、USBホストとUSB OTG装置に同時に連結する時、本発明はUSB伝送のアダプタ機能を発揮することができる。
【発明の効果】
【０００６】
本発明のUSBホストとUSBデバイスに連結する保存装置は、USBモジュール及び/あるいはUSB OTG装置を経由して、USBホストに連結でき、これにより保存モジュール中のデータにアクセスでき、保存モジュールは、ペンドライブモジュール、メモリカードを備えるメモリカードリーダー、或いはペンドライブモジュールにメモリカードを備えるメモリカードリーダーを加えて実現し、USBホストとUSB OTG装置に同時に連結する時、本発明はUSB伝送のアダプター機能を発揮することができる。
【図面の簡単な説明】
【０００７】
【図１】本発明USBホストとUSBデバイスに連結する保存装置の模式図である。
【図２】本発明保存モジュールが、ペンドライブモジュールを備え、さらにメモリカードを備える実施例の模式図である。
【発明を実施するための形態】
【０００８】
以下に図面を参照しながら本発明を実施するための最良の形態について詳細に説明する。
【実施例】
【０００９】
本発明USBホストとUSBデバイスに連結する保存装置の模式図である図１に示すように、本発明の保存装置１００は、USBモジュール１１０、マイクロUSBモジュール１２０、コントロールモジュール１３０、保存モジュール１４０を備える。コントロールモジュール１３０はUSBモジュール１１０、マイクロUSBモジュール１２０、保存モジュール１４０に連結する。USBモジュール１１０は、USBホスト１０１に連結する。マイクロUSBモジュール１２０は、USB OTG装置１０２に連結する。保存モジュール１４０はデータを保存し、多くの配置方式を用いて実現することができる。コントロールモジュール１３０はさらに、USB OTG物理層(PHY)１３１、UTMI１３２、コントロールユニット１３３、バス１３４を備える。USB OTG物理層１３１はUSB OTG物理層で、USBモジュール１１０とマイクロUSBモジュール１２０に連結し、多数の物理層の連結信号を処理する。UTMI１３２はUSB OTG物理層１３１に連結し、USB OTG物理層１３１とコントロールユニット１３３との間の交換を処理する。UTMI１３２は、USB2.0 UTMI(Transceiver Macrocell Interface)である。コントロールユニット１３３は、8051マイクロプロセッサーである。バス１３４は、UTMI１３２とコントロールユニット１３３に連結し、多数のコントロール信号とデータのルートとなる。
【００１０】
上記のように、保存モジュール１４０は、多くの配置方式を用いて実現することができる。例えば、保存モジュール１４０は、内蔵保存メモリを備えるペンドライブモジュールである。ペンドライブモジュールは、フラッシュメモリコントローラーに内蔵フラッシュメモリ、或いはメモリカードカードリーダーと内蔵メモリカードを加えて、実現することができる。保存モジュール１４０の二種の配置方式は、メモリカードコンセントを提供し、外部メモリカードのメモリカードリーダーを挿入して設置するものである。もう一つの方式は、保存モジュール１４０は、内蔵保存メモリを備えるペンドライブモジュールを含み、メモリカードコンセントを提供し、外部メモリカードのメモリカードリーダーを挿入して設置するものである。図２は本発明保存モジュール実施例の模式図である。図２に示すように、本発明保存モジュールは、内蔵保存メモリを備えるペンドライブモジュールを含み、メモリカードコンセントを提供し、外部メモリカードのメモリカードリーダーを挿入して設置する。保存モジュール１４０は、ペンドライブモジュール２１０とメモリカードリーダー２２０を備える。メモリカードリーダー２２０はさらに、メモリカードコントローラー/リーダー２２１とメモリカードコンセント２２２を備える。メモリカードコンセント２２２には、メモリカード２３０を挿入して設置する。メモリカードコントローラー/リーダー２２１は、メモリカードコンセント２２２に挿入されたメモリカード２３０の読み取り/書き込みを制御する。
【００１１】
保存モジュール１４０は、バス１３４に連結する際には、特に図２に示す実施例では、ペンドライブモジュール２１０とメモリカードリーダー２２０は共に、バス１３４に連結する。これにより、データはペンドライブモジュール２１０の内蔵フラッシュメモリ、内蔵メモリカード、及び既に挿入されているメモリカードリーダー２２０のメモリカードコンセント２２０中の外部メモリカード２３０に読み取り、或いは書き込まれる。
【００１２】
データの書き込みについて、データはUSBホスト１０１から、USBモジュール１１０を経て、或いはUSB OTG装置１０２からマイクロUSBモジュール１２０を経て、USB OTG物理層１３１へと伝送。データはさらに、UTMI１３２に伝送され、コントロールユニット１３３に受け取られる。コントロールユニット１３３は、データを保存モジュール１４０に伝送する。上記実施例において、データはペンドライブモジュール２１０の内蔵フラッシュメモリ、内蔵メモリカードとメモリカードコンセント２２２内にもしメモリカード２３０が挿入されている場合メモリカード２３０に書き込まれる。また、ペンドライブモジュール２１０、メモリカードコンセント２２２内の外部メモリカード２３０からデータを読み取る時には、データ経路は反対となる。注目に値するのは、保存モジュール１４０が、ペンドライブモジュール２１０、及びメモリカードリーダー２２０を含む際には、上記のように本発明装置が連結するUSBホスト、或いはUSB OTG装置は、２個のディスクを表示する。もし、外部メモリカードをメモリカードコンセント２２２に挿入できるなら、USBホスト及びUSB OTG装置は、上記２個のディスク内のデータにアクセスすることができる。
【００１３】
本発明装置は、標準USBモジュール、及びマイクロUSBモジュールを備えるため、本装置は、USBホスト及び/あるいはUSB OTG装置を用いることができる。ケーブル、或いはアダプタ(Adaptor)の助けを必要としない。この他、USBホストとUSB OTG装置に同時に連結する時には、本発明装置は、USBホスト及びUSB OTG装置に連結するケーブルとすることができる。同時に、２個のUSB OTG装置に連結する時には、本発明装置は、２個のUSB OTGを連結するケーブルとすることができる。これはUSB OTG物理層１３１を、高抵抗状態に変換することで達成され、これにより本装置をUSB連接コードとすることができる。
【００１４】
本発明装置はさらにミニUSBモジュールを備え、これにより本発明装置はミニUSBインタフェースを設置する装置にも連結することができる点は特筆に値する。
【００１５】
USB、マイクロUSB、ミニUSBモジュールの設置のレイアウトの制限はあるが、実施例では異なるインタフェースを本発明の異なる側に設置し、これにより利便性の高い製品を提供することができる。
【００１６】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００１７】
本発明は特許の要件である新規性を備え、従来の同類製品に比べ十分な進歩を有し、実用性が高く社会のニーズに合致しており、産業上の利用価値は非常に大きい。
【符号の説明】
【００１８】
１００  保存装置
１０１  USBホスト
１０２  USB OTG装置
１１０  USBモジュール
１２０  マイクロUSBモジュール
１３０  コントロールモジュール
１３１  USB OTG物理層
１３２  UTMI（USB2.0 Transceiver Macrocell Interface）
１３３  コントロールユニット
１３４  バス
１４０  保存モジュール
２１０  ペンドライブモジュール
２２０  メモリカードリーダー
２２１  メモリカードコントローラー/リーダー
２２２  メモリカードコンセント
２３０  メモリカード
【図１】
2013114670.tif 000003
【図２】
2013114670.tif 000004
【手続補正書】
【提出日】平成24年7月19日(2012.7.19)
【手続補正１】
【補正対象書類名】図面
【補正対象項目名】図１
【補正方法】変更
【補正の内容】
【図１】
2013114670.tif 000005